(57)【要約】【課題】粘着材の端面部を見せないようにして、かつ電気光学装置が設けられる電子機器の筐体の外装表面と、電気光学装置の透明な部材の表面とがなるべく一致させることができる電気光学装置及び電子機器を提供する。【解決手段】液晶表示装置１は、表示パネル１１と、表示パネル１１の視認側に配置された板状部材であって、かつ外周側の縁部に、前記板状部材の中央部に厚さよりも小さい厚さを有する外周縁部に有するカバー１２と、カバー１２と、表示パネル１１とを貼り合わせるために、カバー１２と、表示パネル１１との間に設けられ、表示パネル１１を平面視したときに、外周端面部が外周縁部の領域内に入るように設けられた粘着材１３と、有する。【選択図】図１
2008216939.tif 000002
【特許請求の範囲】
【請求項１】
電気光学パネルと、
該電気光学パネルの視認側に配置された板状部材であって、かつ外周側の縁部に、前記
板状部材の中央部の厚さよりも小さい厚さを有する段差部を有する透明保護体と、
前記透明保護体と、前記電気光学パネルとを貼り合わせるために、前記透明保護体と、
前記電気光学パネルとの間に設けられ、前記電気光学パネルを平面視したときに、外周端
部が前記段差部の領域内に入るように設けられた粘着材と、
を有することを特徴とする電気光学装置。
【請求項２】
前記粘着材は、シート状であることを特徴とする請求項１に記載の電気光学装置。
【請求項３】
前記電気光学パネルの表示領域において同じ色のサブ画素が連続して並ぶ方向に平行な
前記段差部の内側端部は、前記電気光学パネルを平面視したときに、前記表示領域の外側
に位置し、前記電気光学パネルの表示領域において異なる色のサブ画素が連続して並ぶ方
向に平行な前記段差部の内側端部は、前記電気光学パネルを平面視したときに、前記表示
領域の内側あるいは外側に位置することを特徴とする請求項１又は２に記載の電気光学装
置。
【請求項４】
請求項１から３のいずれか１つに記載の電気光学装置を有する電子機器であって、
前記段差部は、前記電気光学パネルを収容し該電気光学パネルの表示領域に対向する領
域に開口を有する筐体の、前記開口に隣接する領域と対向して配置されることを特徴とす
る電子機器。
【請求項５】
前記段差部は、ゴミ侵入防止部を有することを特徴とする請求項４に記載の電子機器。
【請求項６】
前記ゴミ侵入防止部は、前記段差部と前記開口に隣接する領域との間に配置されたクッ
ション材或いは緩衝材であることを特徴とする請求項５に記載の電子機器。
【請求項７】
前記ゴミ侵入防止部は、前記段差部に形成された凹部或いは凸部と、前記開口に隣接す
る領域に形成された凸部或いは凹部とが係合して形成されることを特徴とする請求項５に
記載の電子機器。
【発明の詳細な説明】
【技術分野】
【０００１】
本発明は、電気光学装置及び電子機器に関し、特に、電気光学パネルに粘着材を設けた
電気光学装置及び電子機器に関する。
【背景技術】
【０００２】
従来より、電気光学装置として、液晶表示装置、有機ルミネッセンス表示装置、プラズ
マディスプレイ装置等の表示装置が知られている。これらの表示装置は、携帯電話等の電
子機器の筐体内に、その表示部がユーザに見えるように、設けられる。  
表示装置の表示部は、ユーザが画像等を見る部分であるので、意匠上も美観が重要であ
る。例えば、筐体の外装面と表示部の表示面とが、あまり段差が着かないように、表示装
置のカバー表面と筐体の外装表面とが、なるべく同一面上になるようにする工夫もされた
表示装置が提案されている（例えば、特許文献１参照）。
【０００３】
その提案によれば、筐体の外装部材の一部に段差部を設け、表示装置のカバーがその段
差部の中に収まるようにして、表示装置の透明なカバー表面を外装部材の外装面と一致さ
せることができる。
【特許文献１】特開2004-272059号公報
【発明の開示】
【発明が解決しようとする課題】
【０００４】
しかし、上記提案に係る技術によれば、表示装置の表示領域をユーザが見たときに、カ
バーと液晶パネルとを貼り付けるための粘着材の外周側の端面部がカバーを透して見えて
しまう。その粘着材の端面部は、綺麗な直線状にはなっていないので、見栄えが悪いとい
う問題がある。
【０００５】
この問題に対して、ユーザからその端面部が見えないように、粘着材の端面部を覆うよ
うな印刷をカバーの裏面に施すことも考えられるが、印刷のインクには厚みがあるため、
インクとカバーの表面との間に段差ができる。そのため、カバーと粘着材との間で段差部
に気泡が残留してしまう場合がある。その場合、表示装置の表示面の見栄えが悪くなると
いう問題がある。また、表示装置の製造工程に、印刷工程を付加することはコストの面で
も好ましくない。
【０００６】
そこで、本発明は、粘着材の端面部を見せないようにして、かつ電気光学装置が設けら
れる電子機器の筐体の外装表面と、電気光学装置の透明な部材の表面とがなるべく一致さ
せることができる電気光学装置及び電子機器を提供することを目的とする。
【課題を解決するための手段】
【０００７】
本発明の電気光学装置は、電気光学パネルと、該電気光学パネルの視認側に配置された
板状部材であって、かつ外周側の縁部に、前記板状部材の中央部の厚さよりも小さい厚さ
を有する段差部を有する透明保護体と、前記透明保護体と、前記電気光学パネルとを貼り
合わせるために、前記透明保護体と、前記電気光学パネルとの間に設けられ、前記電気光
学パネルを平面視したときに、外周端部が前記段差部の領域内に入るように設けられた粘
着材と、を有する。  
このような構成によれば、粘着材の端面部を見せないようにして、かつ電気光学装置が
設けられる電子機器の筐体の外装表面と、電気光学装置の透明な部材の表面とがなるべく
一致させることができる電気光学装置を実現することができる。
【０００８】
また、本発明の電気光学装置において、前記粘着材は、シート状であることが望ましい
。  
このような構成によれば、電気光学パネルに対する粘着材の位置決めをし易くすること
ができる。
【０００９】
また、本発明の電気光学装置において、前記電気光学パネルの表示領域において同じ色
のサブ画素が連続して並ぶ方向に平行な前記段差部の内側端部は、前記電気光学パネルを
平面視したときに、前記表示領域の外側に位置し、前記電気光学パネルの表示領域におい
て異なる色のサブ画素が連続して並ぶ方向に平行な前記段差部の内側端部は、前記電気光
学パネルを平面視したときに、前記表示領域の内側あるいは外側に位置することが望まし
い。  
このような構成によれば、カラーフィルタの色が、筋状に見えてしまう現象を防止する
ことができる。
【００１０】
本発明の電子機器は、本発明の電気光学装置を有する電子機器であって、前記段差部は
、前記電気光学パネルを収容し該電気光学パネルの表示領域に対向する領域に開口を有す
る筐体の、前記開口に隣接する領域と対向して配置される。  
このような構成によれば、粘着材の端面部を見せないようにして、かつ電気光学装置が
設けられる電子機器の筐体の外装表面と、電気光学装置の透明な部材の表面とをなるべく
一致させることができる電子機器を実現することができる。
【００１１】
また、本発明の電気光学装置において、前記段差部は、ゴミ侵入防止部を有することが
望ましい。  
このような構成によれば、電子機器内へのゴミの侵入を防止することができる。
【００１２】
することができる。
【００１３】
また、本発明の電気光学装置において、前記ゴミ侵入防止部は、前記段差部と前記開口
に隣接する領域との間に配置されたクッション材或いは緩衝材であることが望ましい。  
また、本発明の電気光学装置において、前記ゴミ侵入防止部は、前記段差部に形成され
た凹部或いは凸部と、前記開口に隣接する領域に形成された凸部或いは凹部とが係合して
形成されることが望ましい。  
このような構成によれば、簡単にゴミの侵入部を形成することができる。
【発明を実施するための最良の形態】
【００１４】
以下、図面を参照して本発明の実施の形態を説明する。  
（構成）
まず図１と図２に基づき、本実施の形態に係わる電気光学装置の構成を説明する。図１
は、本実施の形態に係わる液晶表示装置の構成を示す構成図である。図２は、液晶表示装
置の構成を説明するための分解組立図である。以下、本実施の形態を、電気光学装置の一
つである液晶表示装置を例にして説明する。
【００１５】
液晶表示装置１は、液晶の表示パネル１１と、透明保護体であるカバー１２と、粘着材
１３とを含んで構成されている。表示パネル１１の画像表示面には、ガラスの透明基板が
設けられており、その表面上に、透明なシート状の粘着材１３の層を介してカバー１２が
設けられている。
【００１６】
表示パネル１１は、内部に液晶層を含み、液晶層に電界をかけて、光の透過等を制御す
ることによって、透過光あるいは反射光による画像を形成する。具体的には、表示パネル
１１は、２枚の透明基板を有し、その２枚の透明基板の間には、電気光学物質である液晶
の層が設けられ、２枚の基板の相互に対向する面に複数の電極が配置されている。この複
数の電極は平面的に交差する領域が表示態様を独立に制御可能な画素を構成することによ
って、画像の表示が行われる。
【００１７】
図２に示すように、表示パネル１１上には、カバー１２が粘着材１３を介して積層され
るようにして、液晶表示装置１は構成されている。カバー１２は、カバー１２の表面に対
して直交する方向から表示パネル１１を見たとき、すなわち平面視したとき、矩形をした
板状部材であり、表示パネル１１も、同様に平面視したときに４つの角部を有する矩形を
している。カバー１２と表示パネル１１は、互いにそれらの角部が略一致するように重ね
合わされる。
【００１８】
カバー１２は、平面視したときに、外周側の縁部である外周縁部に薄肉部１２ａを有す
る。具体的には、平面視したときに、矩形の板状部材であるカバー１２の外周縁部は、薄
肉部１２ａであり、その薄肉部１２ａは、カバー１２の中央部１２ｂの板厚よりも小さい
厚さを有する段差部である。言い換えると、カバー１２を平面視したとき、中央部１２ｂ
は矩形の厚肉部であり、かつ外周縁部は、矩形の段差部である。
【００１９】
図３は、液晶表示装置１のカバー１２を、視認側、すなわち表示パネル１１の表示領域
をユーザが見るときの側、から見たときの液晶表示装置１の平面図である。図３では、説
明のために、段差部である薄肉部１２ａは斜線で示している。  
表示パネル１１は、画像等が表示される表示領域DAを有する。図３に示すように、表示
領域DAは矩形をしており、平面視したときにカバー１２の中央部１２ｂの外周端面部１２
ｂｅよりも内側に、表示領域DAが位置するように配置され、カバー１２は、表示パネル１
１に粘着材１３により貼り合わされる。その結果、ユーザは、表示領域DAに表示される画
像等を全て見ることができる。
【００２０】
また、粘着材１３は、シート状の部材であり、平面視したときに、その矩形のシート状
の粘着材１３の外周端面部１３ａが、図３において斜線で示す薄肉部１２ａの領域の範囲
内に位置するように配置され、粘着材１３は表示パネル１１とカバー１２に付けられる。
粘着材１３がシート状の部材であるので、表示パネル１１に貼り付けるときの位置決めが
し易い。
【００２１】
このような液晶表示装置１が、電子機器の筐体１４内に配置され、ユーザは、カバー１
２側、すなわち視認側から表示パネル１１に表示される画像を、中央部１２ｂの中に見る
ことができる。  
衝撃防止等のための保護体であるカバー１２は、ガラス、プラスチックからなる板材で
ある。カバー１２の材質は、プラスチックの場合、PMMA（ポロメチルメタクリレート）、
ポリカーボネート、ポリカーボネートとPMMA（アクリル）の複合材、CR39等である。  
また、粘着材の材質は、アクリル系樹脂、シリコーン系樹脂、エポキシ系樹脂、あるい
はこれらの複合材である。
【００２２】
図４は、図１に示す、筐体内に設けられた液晶表示装置１の部分拡大の断面図である。
図４は、図３のIV-IV線の位置における断面図であるが、他の位置においても、カバー１
２、粘着材１３及び筐体１４は、以下に説明するような配置関係にある。  
図４に示すように、カバー１２の中央の厚肉部１２ｂの外周端面部１２ｂｅの位置E1か
ら薄肉部１２ａの外周端面部１２ａｅの位置E2の範囲（E）内に、粘着材１３の外周端面
部１３ｅが位置するように、粘着材１３が配置される。この範囲（Ｅ）は、表示パネル１
１を平面視したときに、後述するように筐体１４の額縁部１４ａによってほとんど全部が
覆われて、粘着材１３の外周端面部１３ｅが見えなくなるためである。言い換えると、カ
バー１２の外周端面から厚肉部１２ｂの外周端面の範囲（E）内に、粘着材１３の外周端
面部１３ｅが位置するように、粘着材１３が設けられる。図４に示すように、粘着材１３
の外周端面部１３ｅの位置Ｍが、位置E1から位置E2の範囲（E）内に位置している。
【００２３】
液晶表示装置１が搭載される携帯電話の筐体１４は、液晶表示装置１を平面視したとき
に、薄肉部１２ａを覆う額縁部１４ａを有する。額縁部１４ａの内側表面が、薄肉部１２
ａの視認側面と対向するように配置することによって、厚肉部１２ｂの表面と筐体１４の
額縁部１４ａの表面を略一致させ、かつ粘着材１３の外周端面部１３ｅをユーザから見え
ないようにすることができ、電子機器の意匠上の美観を高めることができる。
【００２４】
すなわち、液晶表示装置１を収容する筐体１４は、液晶表示装置１の表示領域DAに対向
する領域に開口を有し、段差部である薄肉部１２ａは、その開口に隣接する領域と対向し
て配置されるので、電子機器の意匠上の美観を高めることができる。
【００２５】
なお、厚肉部１２ｂの表面と筐体１４の額縁部１４ａの表面を一致するためには、厚肉
部１２ｂと薄肉部１２ａの間の段差の寸法と、筐体１４の額縁部１４ａの厚さの寸法がキ
ーとなるが、上述した構成によれば、電子機器の筐体１４の外装表面と、液晶表示装置１
の透明なカバー１２の表面とをなるべく一致させることができる。
【００２６】
さらになお、上述した例では、粘着材１３の外周端面部１３ｅが、カバー１２の中央の
厚肉部１２ｂの外周端面部１２ｂｅの位置E1から薄肉部１２ａの外周端面部１２ａｅの位
置E2の範囲（E）内に位置するように、粘着材１３が液晶表示装置１において設けられる
が、カバー１２の段差部の寸法、カバー１２の厚肉部１２ｂの外周端面部１２ｂｅと額縁
部１４ａの内周端面部１４ａｅ間の隙間の寸法等によっては、図４に示すように、額縁部
１４ａの内周端面部１４ａｅの位置E3から薄肉部１２ａの外周端面部１２ａｅの位置E2の
範囲（E10）内に、粘着材１３の外周端面部１３ｅが位置するように、粘着材１３が液晶
表示装置１において設けるようにしてもよい。これは、筐体の一部である額縁部１４ａが
薄肉部１２ａの全てを覆えず、カバー１２の段差部の寸法等によっては、厚肉部１２ｂの
外周端面部１２ｂｅと額縁部１４ａの内周端面部１４ａｅの間で、粘着材１３の外周端面
部１３ｅがユーザに見えてしまう場合があるので、そのような場合に、粘着材１３の外周
端面部１３ｅがユーザに見えないようにするためである。
【００２７】
さらに、加えて、場合によっては、粘着材１３の外周端面部１３ｅが、薄肉部１２ａの
外周端面部１２ａｅの位置E2から額縁部１４ａの内側表面に直交する筐体１４の内側表面
部１４ｂの位置E4の範囲（E11）内に位置するように、粘着材１３が液晶表示装置１にお
いて設けるようにしてもよい。これは、粘着材１３が、薄肉部１２ａの外周端面部１２ａ
ｅのさらに外周側にはみ出しても、ユーザには、見えないので、問題はないからである。
【００２８】
次に、図５と図６を用いて、カバー１２あるいは額縁部１４ａの形状の変形例を説明す
る。図５は、カバーの断面形状が、上述した実施の形態の形状と異なる例を示す液晶表示
装置の部分拡大図である。
【００２９】
図５の変形例では、カバー１２Ａの厚肉部１２ｂの外周端面部１２ｂｅの端面は、厚肉
部１２ｂの表面に直交する面に対して所定の角度Ａを有して形成されている。図５に示す
ように、外周端面部１２ｂｅの表面は、斜面になっている。
【００３０】
図５の場合も、図４と同様に、粘着材１３の外周端面部１３ｅが、カバー１２Ａの中央
の厚肉部１２ｂの外周端面部１２ｂｅの位置E1から薄肉部１２ａの外周端面部１２ａｅの
位置E2の範囲（E）内に位置するように、粘着材１３が液晶表示装置１において設けられ
る。ここで、位置E1は、外周端面部１２ｂｅの斜面と、薄肉部１２ａの上側表面との境界
線の位置である。
【００３１】
なお、カバー１２の段差部の寸法、カバー１２の厚肉部１２ｂの外周端面部１２ｂｅの
表面の状態等によっては、図５に示すように、額縁部１４ａの内周端面部１４ａｅの位置
E3から、薄肉部１２ａの外周端面部１２ａｅの位置E2の範囲（E10）内に、粘着材１３の
外周端面部１３ｅが位置するように、粘着材１３が液晶表示装置１において設けるように
してもよい。これは、カバー１２の段差部の寸法等によっては、厚肉部１２ｂの外周端面
部１２ｂｅと額縁部１４ａの内周端面部１４ａｅの間に、粘着材１３の外周端面部１３ｅ
がユーザに見えてしまう場合があるので、そのような場合に、粘着材１３の外周端面部１
３ｅがユーザに見えないようにするためである。
【００３２】
さらになお、図５においても、外周端面部１２ｂｅの表面の状態、段差部の寸法等によ
っては、厚肉部１２ｂの上側（すなわち視認側表面）と外周端面部１２ｂｅの表面との境
界線の位置E5から位置E2の範囲内に、粘着材１３の外周端面部１３ｅが位置していてもよ
い。これは、外周端面部１２ｂｅの表面の状態等によっては、位置E5と位置E3の範囲内に
おいては、粘着材１３の外周端面部１３ｅがユーザに見えない場合があるからである。
【００３３】
また、図５の場合も、粘着材１３の外周端面部１３ｅが、薄肉部１２ａの外周端面部１
２ａｅの位置E2から額縁部１４ａの内側表面に直交する筐体１４の内側表面部１４ｂの位
置E4の範囲（E11）内に位置するように、粘着材１３が液晶表示装置１において設けるよ
うにしてもよい。
【００３４】
図６は、カバーの断面形状と筐体の額縁部の断面形状が、それぞれ上述した実施の形態
の形状と異なる例を示す液晶表示装置の部分拡大図である。
【００３５】
図６に示すように、カバー１２Ａの厚肉部１２ｂの外周端面部１２ｂｅの端面は、図５
と同様に、厚肉部１２ｂの表面に直交する面に対して所定の角度Ａを有して形成されてい
る。さらに、筐体１４の額縁部１４ａの内周端面部１４ａｅも、外周端面部１２ｂｅの表
面を覆うように、厚肉部１２ｂの表面に直交する面に対して所定の角度Ｂを有して形成さ
れている。従って、外周端面部１２ｂｅの面と、額縁部１４ａの内周端面部１４ａｅとは
、対向するように配置される。
【００３６】
図６の場合も、図４と同様に、粘着材１３の外周端面部１３ｅが、カバー１２Ａの中央
の厚肉部１２ｂの外周端面部１２ｂｅの薄肉部１２ａとの境界の位置E1から薄肉部１２ａ
の外周端面部１２ａｅの位置E2の範囲（E）内に位置するように、粘着材１３が液晶表示
装置１において設けられる。
【００３７】
しかし、図６の場合、粘着材１３の外周端面部１３ｅが、額縁部１４ａの内周端面部１
４ａｅの内側端部の位置E6から薄肉部１２ａの外周端面部１２ａｅの位置E2の範囲（E）
内に位置するように、粘着材１３が液晶表示装置１において設けられるようにしてもよい
。これは、額縁部１４ａの内周端面部１４ａｅによって、厚肉部１２ｂの領域の一部が覆
われるからである。
【００３８】
なお、図６においても、外周端面部１２ｂｅの表面の状態、段差部の寸法等によっては
、厚肉部１２ｂの上側（すなわち視認側表面）と外周端面部１２ｂｅの表面との境界線の
位置E5から位置E2の範囲内に、あるいは位置E5から位置E4の範囲内に、粘着材１３の外周
端面部１３ｅが位置していてもよい。これは、外周端面部１２ｂｅの表面の状態等によっ
ては、位置E5と位置E6の範囲内においても、粘着材１３の外周端面部１３ｅがユーザに見
えない場合があるからである。
【００３９】
以上のように、上述した実施の形態及び変形例にかかる液晶表示装置によれば、粘着材
の端面部を見せないようにして、かつ電気光学装置が設けられる電子機器の筐体の外装表
面と、電気光学装置の透明な部材の表面とがなるべく一致させることができる電気光学装
置を実現することができる。
【００４０】
なお、カバーと額縁部の間にゴミの侵入防止用の部材をカバー１２の外周縁部に設けて
もよい。図７は、カバーと額縁部の間にゴミの侵入防止用の部材２１を設けた例を説明す
るための部分断面図である。図７において、ゴミ侵入防止部は、段差部である薄肉部１２
ａと、筐体１４の開口に隣接する領域との間に配置されている。
【００４１】
図７に示すように、額縁部１４ａの内側面と、薄肉部１２ａの視認側面との間に、ガス
ケット等のクッション材或いは緩衝材、あるいは両面テープのような粘着材を、ゴミが筐
体内部に入り込まないようにするためのゴミ侵入防止部として設けてもよい。
【００４２】
同様の目的のために、図８及び図９に示すように、額縁部１４ａの内側面と、薄肉部１
２ａの視認側面とに、凸部及び凹部を枠状に設けても、ゴミ侵入防止部を形成するように
してもよい。図８及び図９は、ゴミの侵入防止の他の例を説明するための部分断面図であ
る。図８及び図９においても、ゴミ侵入防止部は、段差部である薄肉部１２ａと、筐体１
４の開口に隣接する領域との間に配置されている。
【００４３】
図８は、額縁部１４ａの内側面に凸部を設け、薄肉部１２ａの視認側面に凹部を設けた
場合を説明するための図である。額縁部１４ａを裏側からみたときに、額縁部１４ａの内
側面（筐体１４の開口に隣接する領域）上に、枠状の凸部２２が設けられ、薄肉部１２ａ
を視認側から見たときに、その視認側面上に、枠状の凹部、すなわち溝２３が設けられて
いる。
【００４４】
図９は、額縁部１４ａの内側面に凹部を設け、薄肉部１２ａの視認側面に凸部を設けた
場合を説明するための図である。額縁部１４ａを裏側からみたときに、額縁部１４ａの内
側面上に、枠状の凹部、すなわち溝２４が設けられ、薄肉部１２ａを視認側から見たとき
に、その視認側面上に、枠状の凸２５部が設けられている。
【００４５】
図８及び図９の場合、凸部が凹部に入り込むことによって、筐体１４の外側からのゴミ
の侵入を防止することができる。すなわち、凸部及び凹部を、互いに係合するように枠状
に設けることによって、簡単にゴミ侵入防止部が形成される。
【００４６】
また、上述した例では、表示パネル１１の表示領域DAは、中央部１２ｂの外周端面部１
２ｂｅよりも内側に、配置されていたが、中央部１２ｂの外周端面部１２ｂｅよりも外側
に、はみ出るように配置してもよい。
【００４７】
しかし、次のような場合を考慮して、表示領域DAが配置されるのが望ましい。  
表示パネル１１の表示領域DAは、RGB（赤、緑、青）の３色、あるいはそれ以上の色を
含むカラーフィルタにより、複数のサブ画素を形成して、サブ画素の組合せにより、表示
パネル１１は画像を表示する。
【００４８】
その場合、表示領域DAのカラーフィルタにおいて、直線状に同じ色のカラーフィルタが
並ぶ場合がある。例えば、矩形の表示領域DAの一方向には、例えば、RGBの３色のカラー
フィルタが順番に繰り返すように並び、その方向と直交するもう一つの方向には、同じ色
、例えばRの色だけのカラーフィルタが直線状に並ぶ場合がある。
【００４９】
図１０は、カラーフィルタの各色の配置を説明するための図である。図１０に示す表示
領域DAの場合、図１０に向かって横の方向には、RGBの３色のカラーフィルタが連続して
配置されているが、縦方向には、同じ色のカラーフィルタが連続して配置されている。
【００５０】
このような配列のカラーフィルタにおいて、図１０の仮想線L1で示すような位置に、表
示領域DAを縦方向に沿って遮る遮蔽物があって、図１０の左側が筐体等によって覆われる
場合がある。図１０では、ちょうど、遮蔽物の端部が、Bの色（青）は、遮らないような
位置にある。このような場合に、例えば、白色に近い画像が表示されていると、その遮蔽
部の端部に沿って、その遮っていないカラーフィルタの色（図１０の場合は、Bの色（青
））が、筋状に見えてしまう現象がある。
【００５１】
図１０の仮想線L1の場合は、Bの色（青）であるが、他の色、R,Gの場合も同様に、その
色が筋状に見える現象が発生する。
【００５２】
なお、図１０に示す表示領域DAの場合、図１０に向かって横の方向には、複数の色、こ
こではRGBの３色、のカラーフィルタが連続して配置されているので、縦方向に沿って遮
蔽物が表示領域DAを遮る場合に発生する上述したような現象は発生しない。
【００５３】
従って、表示パネル１１の表示領域DAにおいて同じ色のサブ画素が連続して並ぶ方向（
図１０の場合は縦方向）に平行な厚肉部１２ｂの外周端面部１２ｂｅ（言い換えると薄肉
部１２ａの内側端部）は、表示パネル１１を平面視したときに、表示領域DAの外側に位置
するように、カバー１２を表示パネル１１に対して配置する。これにより、ユーザには、
筋状の色の線が見えないようにすることができる。
【００５４】
一方、表示パネル１１の表示領域DAにおいて異なる色のサブ画素が連続して並ぶ方向（
図１０の場合は横方向）に平行な厚肉部１２ｂの外周端面部１２ｂｅ（言い換えると薄肉
部１２ａの内側端部）は、表示パネル１１を平面視したときに、表示領域DAの内側に位置
しても筋状の色の線がユーザに見えることはないので表示領域DAの内側でも、外側でも位
置していてよい
すなわち、図１０では、同じ色のサブ画素が連続して並ぶ縦方向に平行な厚肉部１２ｂ
の外周端面部１２ｂｅは、表示領域DAの外側に位置し、異なる色のサブ画素が連続して並
ぶ横方向に平行な厚肉部１２ｂの外周端面部１２ｂｅは、表示領域DAの内側に位置するよ
うに、カバー１２が表示パネル１１に対して配置されている。
【００５５】
なお、上述したように、筐体１４の額縁部１４ａの内側端面部１４ae（図６の場合は、
内側端部）によって表示領域DAの表示画像の見える範囲を規定する場合は、表示パネル１
１の表示領域DAにおいて同じ色のサブ画素が連続して並ぶ方向（図１０の場合は縦方向）
に平行な額縁部１４ａの内側端面部１４ae（図６の場合は、内側端部）は、表示パネル１
１を平面視したときに、表示領域DAの外側に位置するように、カバー１２を表示パネル１
１に対して配置する。そして、表示パネル１１の表示領域DAにおいて異なる色のサブ画素
が連続して並ぶ方向（図１０の場合は横方向）に平行な額縁部１４ａの内側端面部１４ae
（図６の場合は、内側端部）は、表示パネル１１を平面視したときに、表示領域DAの内側
でも、外側でも位置していてよい。  
このような配置によって、カラーフィルタの色が、筋状に見えてしまう現象を防止する
ことができる。
【００５６】
以上のように、上述した実施の形態及び変形例にかかる液晶表示装置によれば、粘着材
の端面部を見せないようにして、かつ電気光学装置が設けられる電子機器の筐体の外装表
面と、電気光学装置の透明な部材の表面とがなるべく一致させることができる電気光学装
置を実現することができる。
【００５７】
また、本発明の電気光学装置は、各種液晶表示装置に適用することが可能である。また
、液晶表示パネルだけでなく、エレクトロルミネッセンス装置、有機エレクトロルミネッ
センス装置、プラズマディスプレイ装置、電気泳動ディスプレイ装置、電気放出素子を用
いた装置（Field Emission Display 及びSurface-Conduction Electron-Emission Displa
y等）等の各種の電気光学装置においても本発明を同様に適用することが可能である。
【００５８】
次に、上述した実施の形態に係る液晶表示装置を表示装置として有する電子機器につい
て説明する。図１１は、電子機器として携帯電話の外観を示す斜視図である。図９に示す
ように、携帯電話１２００は、複数の操作ボタン１２０２の他に、受話口１２０４、送話
口１２０６と共に、上述した電気光学装置としての液晶表示装置１が設けられる表示部１
００を有する。
【００５９】
本発明に係る電気光学装置が適用できる電子機器としては、携帯電話の他に、PDA(Pers
onal Digital Assistants：携帯情報端末)、携帯型パーソナルコンピュータ、デジタルカ
メラ、車載用モニタ、デジタルビデオカメラ、液晶テレビ、ビューファインダ型もしくは
直視型ビデオテープレコーダ、カーナビゲーション装置、ページャ、電子手帳、電卓、ワ
ードプロセッサ、ワークステーション、テレビ電話機、POS端末機等がある。  
本発明は、上述した実施の形態に限定されるものではなく、本発明の要旨を変えない範
囲において、種々の変更、改変等が可能である。
【図面の簡単な説明】
【００６０】
【図１】本発明の実施の形態に係わる液晶表示装置の構成を示す構成図。
【図２】本発明の実施の形態に係わる液晶表示装置の構成を説明するための分解組立図。
【図３】本発明の実施の形態に係わる液晶表示装置の平面図。
【図４】本発明の実施の形態に係わる、筐体内の液晶表示装置の部分拡大の断面図。
【図５】カバーの断面形状が異なる例を示す液晶表示装置の部分拡大図。
【図６】筐体の額縁部の断面形状が異なる例を示す液晶表示装置の部分拡大図。
【図７】ゴミの侵入防止用の部材を設けた例を説明するための部分断面図。
【図８】ゴミの侵入防止の他の例を説明するための部分断面図。
【図９】ゴミの侵入防止のさらに他の例を説明するための部分断面図。
【図１０】カラーフィルタの各色の配置を説明するための図。
【図１１】電子機器として携帯電話の外観を示す斜視図。
【符号の説明】
【００６１】
１  液晶表示装置、１１  表示パネル、１２  カバー、１２ａ  薄肉部、１３  粘着材、
１４  筐体、１４ａ  額縁部
【図１】
2008216939.tif 000003
【図２】
2008216939.tif 000004
【図３】
2008216939.tif 000005
【図４】
2008216939.tif 000006
【図５】
2008216939.tif 000007
【図６】
2008216939.tif 000008
【図７】
2008216939.tif 000009
【図８】
2008216939.tif 000010
【図９】
2008216939.tif 000011
【図１０】
2008216939.tif 000012
【図１１】
2008216939.tif 000013